(57)【要約】【課題】【解決手段】  無線（たとえばＩＳ‐８５６、ｃｄｍａ２０００、あるいはＷ‐ＣＤＭＡ）通信システムにおいてゲーテッドパイロットに対する補間されたパイロットシンボルを導出するための技術。一つの方法においては、第１および第２の時刻段階それぞれに対する第１および第２の回復されたパイロットシンボルが最初に取得（たとえばゲーテッドパイロットに対するパイロットバーストに基づいて導出）される。第１および第２の時刻段階間の第３の時刻段階における受信された信号内に誘導された位相変化が推定される。第１および第２の位相回転されたシンボルが、第１および第２の回復されたパイロットシンボル、および推定された誘導された位相変化に基づいて次に導出される。第１および第３の時刻段階間の補間されたパイロットシンボルがそこで、第１の回復されたパイロットシンボルおよび第１の位相回転されたシンボルに基づいて（たとえば線形補間を用いて）導出される。同様に、第３および第２の時刻段階間の補間されたパイロットシンボルが第２の位相回転されたシンボルおよび第２の回復されたパイロットシンボルに基づいて導出される。
2006503451.tif 000002
【特許請求の範囲】
【請求項１】
無線通信システムにおいてゲーテッドパイロットに対する補間されたパイロットシンボルを導出するための方法であって、
第１の時刻段階に対する第１の回復されたパイロットシンボル、および第２の時刻段階に対する第２の回復されたパイロットシンボルを取得し、
第１および第２の時刻段階間の第３の時刻段階における受信された信号内に誘導された位相変化を推定し、
第１および第２の回復されたパイロットシンボルおよび推定された誘導された位相変化に基づいて第１および第２の位相回転されたシンボルを導出し、
第１の回復されたパイロットシンボルおよび第１の位相回転されたシンボルに基づいて第１および第３の時刻段階間の補間されたパイロットシンボルを導出し、そして
第２の位相回転されたシンボルおよび第２の回復されたパイロットシンボルに基づいて第３および第２の時刻段階間の補間されたパイロットシンボルを導出する
ことを含む方法。
【請求項２】
さらに、
第１および第２の回復されたパイロットシンボルに基づいて第３の時刻段階における補間されたパイロットシンボルを導出し、そして
第１および第２の位相回転されたシンボルを導出するために第３の時刻段階における補間されたパイロットシンボルを回転する
ことを含む、請求項１記載の方法。
【請求項３】
ここで、推定された誘導された位相変化は、第１、第２、および第３の時刻段階に基づいて第１および第２の位相回転されたシンボルに配分される、請求項２記載の方法。
【請求項４】
ここで、第１および第２の位相回転されたシンボルは推定された誘導された位相変化によって分離される、請求項１記載の方法。
【請求項５】
ここで、第１および第２の回復されたパイロットシンボルは、ゲーテッドパイロットに対して受信されたパイロットバーストに基づいて導出される、請求項１記載の方法。
【請求項６】
さらに、
受信信号経路内の回路セッティングの変化を検出する、そしてここで推定された誘導された位相変化は検出された回路セッティングの変化に基づいて決定される、
ことを含む、請求項１記載の方法。
【請求項７】
ここで、補間されたパイロットシンボルは補間に基づいて導出される、請求項１記載の方法。
【請求項８】
ここで、補間されたパイロットシンボルは線形補間に基づいて導出される、請求項１記載の方法。
【請求項９】
ここで、補間されたパイロットシンボルはカルテシアン補間に基づいて導出される、請求項１記載の方法。
【請求項１０】
ここで、補間されたパイロットシンボルは極補間に基づいて導出される、請求項１記載の方法。
【請求項１１】
ゲーテッドパイロット伝送方式を使用しているＣＤＭＡ通信システムにおいて、受信された信号内のパイロットバーストに基づいて補間されたパイロットシンボルを導出するための方法であって、
第１および第２の時刻段階においてそれぞれ受信されたパイロットバーストに基づいて、第１および第２の回復されたパイロットシンボルを導出し、
第１および第２の時刻段階間の第３の時刻段階において受信された信号内に誘導される位相変化を推定し、
第１および第２の回復されたパイロットシンボルに基づいて第３の時刻段階における補間されたパイロットシンボルを導出し、
第１および第２の位相回転されたシンボルを導出するために推定された誘導された位相変化だけ第３の時刻段階における補間されたパイロットシンボルを回転し、
第１の回復されたパイロットシンボルおよび第１の位相回転されたシンボルに基づいて、そして線形補間を用いて、第１および第３の時刻段階間の補間されたパイロットシンボルを導出し、そして
第２の位相回転されたシンボルおよび第２の回復されたパイロットシンボルに基づいて、そして線形補間を用いて、第３および第２の時刻段階間の補間されたパイロットシンボルを導出する
ことを含む方法。
【請求項１２】
ディジタル信号処理デバイスと通信的に結合されたメモリであって、
ゲーテッドパイロットに対して受信されたパイロットバーストに基づいて導出された、第１の時刻段階に対する第１の回復されたパイロットシンボルおよび、第２の時刻段階に対する第２の回復されたパイロットシンボルを取得し、
第１および第２の時刻段階間の第３の時刻段階における受信された信号内に誘導された位相変化を推定し、
第１および第２の回復されたパイロットシンボルおよび推定された誘導された位相変化に基づいて第１および第２の位相回転されたシンボルを導出し、
第１の回復されたパイロットシンボルおよび第１の位相回転されたシンボルに基づいて第１および第３の時刻段階間の補間されたパイロットシンボルを導出し、そして
第２の位相回転されたシンボルおよび第２の回復されたパイロットシンボルに基づいて第３および第２の時刻段階間の補間されたパイロットシンボルを導出する
ためのディジタル情報を理解する能力を有する、メモリ。
【請求項１３】
ここで、ディジタル信号処理デバイスはさらに
第１および第２の回復されたパイロットシンボルに基づいて第３の時刻段階における補間されたパイロットシンボルを導出し、そして
第１および第２の位相回転されたシンボルを導出するために、第３の時刻段階における補間されたパイロットシンボルを回転する
ためのディジタル情報を理解する能力を有する、請求項１２記載のメモリ。
【請求項１４】
ゲーテッドパイロットに対する補間されたパイロットシンボルを導出するための計算機プログラム製品であって、
第１の時刻段階に対する第１の回復されたパイロットシンボルおよび第２の時刻段階に対する第２の回復されたパイロットシンボルを取得するためのコードと、
第１および第２の時刻段階間の第３の時刻段階における受信された信号内に誘導された位相変化を推定するためのコードと、
第１および第２の回復されたパイロットシンボルおよび推定された誘導された位相変化に基づいて第１および第２の位相回転されたシンボルを導出するためのコードと、
第１の回復されたパイロットシンボルおよび第１の位相回転されたシンボルに基づいて第１および第３の時刻段階間の補間されたパイロットシンボルを導出するためのコードと、
第２の位相回転されたシンボルおよび第２の回復されたパイロットシンボルに基づいて第３および第２の時刻段階間の補間されたパイロットシンボルを導出するためのコードと、そして
コードを保存するための計算機により使用可能な媒体と
を含む、計算機プログラム製品。
【請求項１５】
無線通信システム内で使用するためのパイロット処理装置であって、
第１の時刻段階に対する第１の回復されたパイロットシンボル、および第２の時刻段階に対する第２の回復されたパイロットシンボルを取得することが可能な第１のユニットと、ここで第１および第２の回復されたパイロットシンボルは、ゲーテッドパイロットに対して受信されたパイロットバーストに基づいて導出され、
第１および第２の回復されたパイロットシンボルおよび、第１および第２の時刻段階間の第３の時刻段階における受信された信号内に誘導された位相変化の推定値に基づいて、第１および第２の位相回転されたシンボルを導出することが可能なシンボル発生器と、そして
第１の回復されたパイロットシンボルおよび第１の位相回転されたシンボルに基づいて第１および第３の時刻段階間の補間されたパイロットシンボルを導出し、そして第２の位相回転されたシンボルおよび第２の回復されたパイロットシンボルに基づいて第３および第２の時刻段階間の補間されたパイロットシンボルを導出することが可能な補間器と
を含むパイロット処理装置。
【請求項１６】
さらに、
パイロット推定値を与えるために補間されたパイロットシンボルを濾波することが可能な濾波器を含む、請求項１５記載のパイロット処理装置。
【請求項１７】
ここで、補間器は線形補間を実行することが可能な、請求項１５記載のパイロット処理装置。
【請求項１８】
ここで、無線通信システムはＩＳ‐８５６  ＣＤＭＡ通信システムである、請求項１５記載のパイロット処理装置。
【請求項１９】
ここで、無線通信システムはｃｄｍａ２０００通信システムである、請求項１５記載のパイロット処理装置。
【請求項２０】
ここで、無線通信システムはＷ‐ＣＤＭＡ通信システムである、請求項１５記載のパイロット処理装置。
【請求項２１】
複数のフィンガ処理装置を含むレイク受信機であって、各フィンガ処理装置は
逆拡散されたサンプルを与えるためにデータサンプルを受信しそして逆拡散することが可能な逆拡散器と、
データシンボルを与えるために、逆拡散されたサンプルを第１のチャネル化符号でデカバーすることが可能なデータデカバラと、
ゲーテッドパイロットに対して受信されたパイロットバーストに対する回復されたパイロットシンボルを与えるために、逆拡散されたサンプルを第２のチャネル化符号でデカバーすることが可能なパイロットデカバラと、
受信された信号内に誘導された位相変化を含む位相を有する参照信号を与えるために、回復されたパイロットシンボルを処理することが可能なパイロット処理装置と、そして
復調されたシンボルを与えるために、データシンボルを参照信号で復調することが可能なデータ復調器と
を含む、レイク受信機。
【請求項２２】
ここで、パイロット処理装置は、
第１の時刻段階に対する第１の回復されたパイロットシンボルおよび第２の時刻段階に対する第２の回復されたパイロットシンボルを取得することが可能な第１のユニットと、
第１および第２の回復されたパイロットシンボル、および第１および第２の時刻段階間の第３の時刻段階における受信された信号内に誘導された位相変化の推定値に基づいて、第１および第２の位相回転されたシンボルを導出することが可能なシンボル発生器と、そして
第１の回復されたパイロットシンボルおよび第１の位相回転されたシンボルに基づいて第１および第３の時刻段階間の補間されたパイロットシンボルを導出し、そして第２の位相回転されたシンボルおよび第２の回復されたパイロットシンボルに基づいて、第３および第２の時刻段階間の補間されたパイロットシンボルを導出することが可能な補間器と
を含む、請求項２１記載のレイク受信機。
【請求項２３】
ここで、補間器は、線形補間を用いて補間されたパイロットシンボルを導出することが可能な、請求項２２記載のレイク受信機。
【請求項２４】
ディジタル信号処理装置であって、
第１の時刻段階に対する第１の回復されたパイロットシンボルおよび第２の時刻段階に対する第２の回復されたパイロットシンボルを取得することが可能な第１のユニットと、ここで、第１および第２の回復されたパイロットシンボルはゲーテッドパイロットに対して受信されたパイロットバーストに基づいて導出され、
第１および第２の回復されたパイロットシンボルおよび、第１および第２の時刻段階間の第３の時刻段階において受信された信号内に誘導された位相変化の推定値に基づいて、第１および第２の位相回転されたシンボルを導出することが可能なシンボル発生器と、そして
第１の回復されたパイロットシンボルおよび第１の位相回転されたシンボルに基づいて第１および第３の時刻段階間の補間されたパイロットシンボルを導出し、そして第２の位相回転されたシンボルおよび第２の回復されたパイロットシンボルに基づいて第３および第２の時刻段階間の補間されたパイロットシンボルを導出することが可能な補間器と
を含む、ディジタル信号処理装置。
【請求項２５】
無線通信システムにおける受信機ユニットであって、
データサンプルを与えるために受信された信号を処理することが可能な受信機と、そして
複数のフィンガ処理装置を含むレイク受信機と、なお各フィンガ処理装置は信号インスタンスに対して復調されたシンボルを与えるために受信された信号内のそれぞれの信号インスタンスに対するデータサンプルを処理することが可能であり、各フィンガ処理装置は、
逆拡散されたサンプルを与えるためにデータサンプルを受信しそして逆拡散することが可能な逆拡散器と、
データシンボルを与えるために逆拡散されたサンプルを第１のチャネル化符号でデカバーすることが可能なデータデカバラと、
ゲーテッドパイロットに対して受信されたパイロットバーストに対する回復されたパイロットシンボルを与えるために、逆拡散されたサンプルを第２のチャネル化符号でデカバーすることが可能なパイロットデカバラと、
受信機内の回路変化によって、受信された信号内に誘導された位相変化を含む位相を有する参照信号を与えるために、回復されたパイロットシンボルを処理することが可能なパイロット処理装置と、そして
復調されたシンボルを与えるためにデータシンボルを参照信号で復調することが可能なデータ復調器と
を含む、受信機ユニット。
【請求項２６】
さらに、
受信機内の回路変化の表示を与えることが可能な制御器を含む、請求項２５記載の受信機ユニット。
【請求項２７】
さらに、
受信機および組み合わせられた位相に対する複数の回路セッティングに対する表を保存することが可能なメモリを含む、請求項２５記載の受信機ユニット。
【請求項２８】
ここで、パイロット処理装置はさらに、補間されたパイロットシンボルを導出することが可能な、請求項２５記載の受信機ユニット。
【請求項２９】
無線通信システムにおける端末であって、
データサンプルを与えるために受信された信号を処理することが可能な受信機と、そして
複数のフィンガ処理装置を含むレイク受信機と、なお各フィンガ処理装置は、信号インスタンスに対する復調されたシンボルを与えるために受信された信号内のそれぞれの信号インスタンスに対するデータサンプルを処理することが可能であり、各フィンガ処理装置は、受信機内の回路変化によって受信された信号内に誘導された位相変化を含む位相を有する参照信号を与えるために回復されたパイロットシンボルを処理することが可能なパイロット処理装置を含んでおり、
を含む端末。
【請求項３０】
さらに、
受信機内の回路変化の表示を与えることが可能な制御器
を含む、請求項２９記載の端末。
【請求項３１】
ここで、各フィンガ処理装置はさらに線形補間を用いて補間されたパイロットシンボルを導出することが可能な、請求項２９記載の端末。
【請求項３２】
ここで、補間されたパイロットシンボルはカルテシアン補間に基づいて導出される、請求項２９記載の端末。
【請求項３３】
ここで、無線通信システムはゲーテッドパイロット伝送法式を使用しているＣＤＭＡシステムである、請求項２９記載の端末。
【請求項３４】
無線通信システムにおける装置であって、
第１の時刻段階に対する第１の回復されたパイロットシンボルおよび第２の時刻段階に対する第２の回復されたパイロットシンボルを取得するための手段と、ここで第１および第２の回復されたパイロットシンボルはゲーテッドパイロットに対するパイロットバーストに基づいて導出され、
第１および第２の時刻段階間の第３の時刻段階における受信された信号内に誘導される位相変化を推定するための手段と、
第１および第２の回復されたパイロットシンボルおよび推定された誘導された位相変化に基づいて第１および第２の位相回転されたシンボルを導出するための手段と、
第１の回復されたパイロットシンボルおよび第１の位相回転されたシンボルに基づいて第１および第３の時刻段階間の補間されたパイロットシンボルを導出するための手段と、そして
第２の位相回転されたシンボルおよび第２の回復されたパイロットシンボルに基づいて第３および第２の時刻段階間の補間されたパイロットシンボルを導出するための手段と
を含む装置。
【請求項３５】
さらに、
第１および第２の回復されたパイロットシンボルに基づいて第３の時刻段階における補間されたパイロットシンボルを導出するための手段と、および
第１および第２の位相回転されたシンボルを導出するために第３の時刻段階における補間されたパイロットシンボルを回転するための手段と
を含む、請求項３４記載の装置。
【請求項３６】
ここで、補間されたパイロットシンボルは線形補間を用いて導出される、請求項３４記載の装置。
【発明の詳細な説明】
【技術分野】
【０００１】
本発明は、一般的にデータ通信に、そしてより特定的には、ゲーテッドパイロットに対する補間されたパイロットシンボルを含む、そして受信された信号内に誘導される位相変化に対する補償を備えた、参照信号を発生するための技術に関する。
【背景技術】
【０００２】
典型的な無線通信システム（たとえばＣＤＭＡシステム）においては、データは処理され、符号化され、変調され、濾波され、増幅され、そして送信機ユニット（たとえば基地局）から１個あるいはそれ以上の受信機ユニット（たとえば端末）に対して送信される。送信された信号は典型的には、受信機ユニットに到着するまでに、経路損失、マルチパス、および他の現象を経験する。各受信機ユニットにおいては、送信された信号は受信され、調整され、復調され、そして送信されたデータを回復するために復号される。信号の調整は典型的には増幅、濾波、周波数ダウンコンバージョン、等を含む。
【０００３】
経路損失、マルチパス（それは構成的にあるいは破壊的に加えられるかも知れない）、および他の現象のために、受信された信号強度は広範囲の値に亙って変化することが可能である。たとえばＣＤＭＡシステムに対しては、受信された信号強度は８５ｄＢに亙って変化することが可能である。ディジタイゼーションに適切な振幅を有する調整された信号を与えるために、通常、低雑音増幅器（ＬＮＡ：low noise amplifier）および／あるいは可変利得増幅器（ＶＧＡ：variable gain amplifier）の複数の段階が、アンテナからアナログ‐ディジタル変換器（ＡＤＣ：analog-to-digital converter）への受信信号経路内で使用される。受信信号経路はまた、その中で受信された信号がいくつかの可能な信号経路の一つ（たとえばＬＮＡ段階に対する利得経路およびバイパス経路）を経由して発送されることが可能な、１個あるいはそれ以上の区画を含むかも知れない。
【０００４】
受信された信号の特性は、受信信号経路内の回路エレメントが調整され、そして／あるいは異なった信号経路が選択されるに伴って変化することが可能である。受信信号経路内の各回路エレメントは特定の位相と組み合わせられており、そして回路エレメントのセッティングもまた異なった位相と組み合わせられることが可能である。受信された信号は、もしも回路エレメントが段階的な形態(step-wise fashion)で（たとえば、ＶＧＡに対しては利得段階で）調整される場合は、あるいはもしも受信された信号が異なった信号経路経由に（たとえばＬＮＡ段階に対しては利得およびバイパス経路に）切り替えられる場合は、位相の不連続を有することが可能である。
【０００５】
多くの無線通信システムにおいては、受信機ユニットがいくつかの機能を実行するのを援助するために、各送信機ユニットからパイロットが送信される。パイロットは典型的には既知のデータパターン（たとえばすべて０の系列）に基づいて、そして既知の信号処理方式を用いて発生される（たとえば、既知のチャネル化符号(channelization code)でカバーされ、そして既知の擬似ランダム雑音（ＰＮ：pseudo-random noise）系列あるいはスクランブリング符号を用いて拡散される）。パイロットは受信機ユニットにおいて、タイミングおよび送信機ユニットの周波数との同期化、通信チャネルの品質の推定、データ伝送のコヒーレントな復調、および可能な他の機能に対して使用することが可能である。
【０００６】
若干のＣＤＭＡシステム（たとえばＩＳ‐８５６およびＷ‐ＣＤＭＡシステム）は、ゲーテッドパイロット伝送方式を用いている。これらのシステムに対しては、パイロットは通常の時間間隔におけるバースト内で送信される。各受信機ユニットにおいては、パイロットバーストは各パイロットバーストに対する回復されたパイロットシンボルを得るために、特定の時刻段階におけるパイロット（そしてしたがって通信チャネル）の振幅および位相の推定値である回復されたパイロットシンボルと共に処理される。（連続した）参照信号はそこで、回復されたパイロットシンボルを補間することによって発生することが可能であり、そしてこの参照信号はデータ復調および他の目的に使用することが可能である。上に記述したように、もしも位相不連続が受信信号経路内の回路変化に起因して受信された信号内に誘導される場合はそこで、これらの位相不連続は、データ復調が劣化されないように参照信号内に考慮される必要がある。
【０００７】
その結果当業界においては、受信信号経路内の調整および／あるいは回路エレメントの切り替えに起因して受信された信号内に誘導される位相変化を考慮するような方法で、ゲーテッドパイロットに対して参照信号を発生するための技術に対するニーズが存在する。
【発明の開示】
【課題を解決するための手段】
【０００８】
この中に、受信された信号内に誘導された位相不連続を考慮するような方法で、ゲーテッドパイロットに対する参照信号を発生するための技術が与えられている。受信機ユニットは典型的には、受信信号経路内の“著しい”回路変化（すなわち特性に有害な影響を有するかも知れない変化）に関する知識を有しており、そしてさらに各々の著しい回路変化に起因して誘導された位相変化の大きさに関する知識を有することが可能である。この情報はそこで、誘導された位相変化を有するデータ信号に関する位相よりもより厳密に整合する位相を有する、参照信号を発生するために使用することが可能である。より正確に発生された参照信号は、改善された特性に帰着することが可能である。
【０００９】
特定の実施例においては、無線（たとえばＩＳ‐８５６、ｃｄｍａ２０００、あるいはＷ‐ＣＤＭＡ）通信システムにおけるゲーテッドパイロットに対する補間されたパイロットシンボルを導出するための方法が与えられる。この方法に従って、第１の時刻段階に対する第１の回復されたパイロットシンボル、および第２の時刻段階に対する第２の回復されたパイロットシンボルが最初に得られ（たとえばゲーテッドパイロットに対して受信されたパイロットバーストに基づいて導出され）る。第１および第２の時刻段階間の第３の時刻段階における受信された信号内に誘導された位相変化がそこで推定される。第１および第２の位相回転されたあるいは補償されたシンボルが、第１および第２の回復されたパイロットシンボルおよび推定された誘導された位相変化に基づいて（以下に記述するような方法で）次に導出される。第１および第３の時刻段階間の補間されたパイロットシンボルがそこで、第１の回復されたパイロットシンボルおよび第１の位相回転されたシンボルに基づいて（たとえば線形補間を用いて）導出される。同様に、第３および第２の時刻段階間の補間されたパイロットシンボルが第２の位相回転されたシンボルおよび第２の回復されたパイロットシンボルに基づいて導出される。
【００１０】
本発明に関する種々の観点および実施例がさらに詳細に以下に記述される。本発明はさらに、さらに詳細に以下に記述されるように、方法、プログラムコード、パイロット処理装置、レイク受信機、ディジタル信号処理装置、受信機ユニット、端末、基地局、システム、および、種々の観点、実施例および本発明の特徴を実現する、他の装置およびエレメントを与える。
【発明を実施するための最良の形態】
【００１１】
本発明の特徴、性質、および利点が、図面と関連させた場合に以下に記述する詳細な説明からより明白になろう。図面において同様の参照符号は、全体を通して、そしてこの中で同一のものと認定する。
図１は、本発明の種々の観点および実施例を実現することが可能な受信機ユニット１００の実施例に関するブロック線図である。受信機ユニット１００は、無線（たとえばＣＤＭＡ）通信システムの端末あるいは基地局の中に実現することが可能である。明確のために、本発明の種々の観点および実施例は、端末内の受信機ユニットに対して記述される。
【００１２】
図１において、１個あるいはそれ以上の送信機ユニット（たとえば、基地局、ＧＰＳ衛星、放送局等）から送信された、１個あるいはそれ以上のＲＦ変調された信号(RF modulated signals)は、アンテナ１１２によって受信され、そして受信機１２０に与えられる。受信機１２０内で、受信された信号は低雑音増幅器（ＬＮＡ）１２２によって、増幅されたＲＦ信号を与えるために特定の利得をもって増幅される。ＬＮＡ１２２は、特定の利得および／あるいは減衰の範囲（たとえば最大利得から減衰まで４０ｄＢ）を与えるように設計された１個あるいはそれ以上のＬＮＡ段階を含むかも知れず、そして各ＬＮＡ段階は、挿入され(turned On)あるいはバイパスされるかも知れない。ＬＮＡ１２２の利得は、制御器１５０によって与えられる利得制御によって決定することが可能である。
【００１３】
増幅されたＲＦ信号はそこで、次の信号処理段階内で相互変調積(inter-modulation products)の原因となることが可能な雑音およびスプリアス信号を除去するために（帯域通過あるいは低域通過）濾波器１２４によって濾波される。濾波されたＲＦ信号はさらに必要とされる信号レベルを有する信号を与えるために、可変利得増幅器（ＶＧＡ）１２６によって増幅される。ＶＧＡ１２６はまた、１個あるいはそれ以上の増幅器段階を含むことが可能であり、そしてＶＧＡ１２６の利得は、制御器１５０内に実現することが可能な、自動利得制御（ＡＧＣ：automatic gain control）ループによって与えられる他の利得制御によって決定されることが可能である。ＶＧＡ１２６からのＡＧＣ（制御）された(AGCed)ＲＦ信号はそこで、ダウンコンバータ１２８に与えられる。
【００１４】
ダウンコンバータ１２８は、ＡＧＣされたＲＦ信号に関するＲＦからベースバンドに下がる直交ダウンコンバージョンを実行する。方向ダウンコンバージョン(direction downconversion)に対しては、これは、複素ベースバンド信号を与えるために、ＡＧＣされたＲＦ信号を複素局部発信器（ＬＯ：local oscillator）信号と乗算する（すなわち混合する）ことによって達成することが可能である。とくに、ＡＧＣされたＲＦ信号は、同相（Ｉ：inphase）ベースバンド成分を与えるために同相ＬＯ信号と混合し、そして直交（Ｑ：quadrature）ベースバンド成分を与えるために直交ＬＯ信号と混合することが可能である。ヘテロダイン受信機に対しては、ダウンコンバージョンは複数の段階で（たとえばＲＦからＩＦに下がり、そしてそこでＩＦからベースバンドに下がる）実行することが可能である。何れの場合においても、ダウンコンバージョンを実行するために使用されるミクサは、異なった利得を与えるために制御することが可能な複数の段階で実現することが可能であり、そしてミクサによって与えられるべき特定の利得はまた、制御器１５０からの他の利得制御によって決定することが可能である。
【００１５】
ＩおよびＱベースバンド成分はそこで、スプリアス信号および帯域外雑音を除去するために低域通過濾波器（ＬＰＦ：lowpass filter）によって濾波される。濾波されたＩおよびＱ成分はそこで、ＩおよびＱサンプルを与えるために、それぞれアナログ‐ディジタル変換器（ＡＤＣ：analog-to-digital converter）１３２によってディジタイズされる。特定の実施例においては、ＡＤＣ１３２は、チップレートの２倍において（すなわちチップ×２）４ビットのＩおよびＱサンプルを与える。ＩおよびＱサンプルは、ＡＤＣ１３２からディジタル信号処理装置（ＤＳＰ）１４０に与えられる。
【００１６】
ＤＳＰ１４０は、送信されたデータを回復するためにＩおよびＱサンプルを復調し、そして復号する。ＤＳＰ１４０は、以下に記述するように受信された信号内の複数の信号インスタンスを連続的に処理することが可能なレイク受信機を実現するかも知れない。
【００１７】
制御器１５０は、受信機ユニット１００に関する種々の動作を指示する。制御器１５０は、ＬＮＡ１２２、ＶＧＡ１２６、ダウンコンバータ１２８、およびＤＳＰ１４０に対する種々の制御を与えることが可能である。たとえば、制御器１５０は、そのＬＮＡ段階に関する利得が必要とされているか否かによって各ＬＮＡ段階を選択的に挿入あるいはバイパスするための制御を与えることが可能である。メモリ１５２は制御器１５０のためのデータおよびプログラム符号に対する保存を与える。
【００１８】
典型的な受信機設計においては、受信された信号の調整は１個あるいはそれ以上の、増幅器、濾波器、ミクサ、等の段階によって実行することが可能である。さらに、濾波はＬＮＡ段階の前および／あるいは後で実行することが可能である。単純化のために、種々の信号調整段階は図１に示されるブロックの中にともに一括されている。他のＲＦ受信機設計もまた用いることが可能であり、そしてそれらは本発明の範囲内にある。
【００１９】
図２は、ＤＳＰ１４０内のレイク受信機２００の実施例に関するブロック線図である。マルチパス環境においては、それぞれの送信ユニットから送信された変調された信号は、いくつかの信号経路を経由して受信機に到着するかも知れず、そしてそれは見通し線(line-of-sight)経路および／あるいは反射経路を含むかも知れない。したがって、受信された信号は１個あるいはそれ以上の送信機ユニットからの１個あるいはそれ以上の変調された信号に関するいくつかのインスタンスを含むかも知れない。各信号インスタンス（すなわちマルチパス）は、特定の振幅、位相、および到着時刻と組み合わせられている。
【００２０】
受信機１２０は、各データサンプルはＩおよびＱサンプルの対を含んでいる、データサンプルのストリームを与えるために、受信された信号を調整しそしてディジタイズする。データサンプルはそこで、レイク受信機２００内のいくつかのフィンガ処理装置２１０および探索器２１２に与えられる。探索器２１２は受信された信号内の強い信号インスタンスを探索し、そして基準の組み合わせを満足する各々の見出された信号インスタンスの強度およびタイミングに関する表示を与えるために使用される。各フィンガ処理装置２１０はそこで、関心のあるそれぞれの信号インスタンス（たとえば、探索器２１２によって与えられた信号強度情報に基づいて制御器１５０によって決定されたような、十分な強度の信号インスタンス）を処理するために割り当てられることが可能である。
【００２１】
各割り当てられたフィンガ処理装置２１０の中で、再サンプラ／回転器(resampler/rotator)２２０は、チップレートにおける、そして通常のサンプルタイミングでの、補間されたサンプルを与えるために通常の“細かい粒子の(fine-grain)”タイミング位相（フィンガ処理装置のタイミング回復機能によって決定されたように）において、データサンプルを最初に再サンプルする。補間されたサンプルはそこで、ドップラー周波数シフト(Doppler frequency shift)および／あるいはダウンコンバージョン周波数誤差に起因する補間されたサンプル内の位相回転を除去するために、複素正弦波信号と周波数変換(are frequency-translated)される。回転されたサンプルはそこで、これもまた、フィンガ処理装置によって処理されている信号インスタンスの到着時刻に対応する特定のＰＮ状態（すなわちＰＮ位相）を有する（複素共役）ＰＮ系列、ＰＮｉを受信するＰＮ逆拡散器(despreader)２２２に与えられる。 ＰＮ逆拡散器２２２は回転されたサンプルを受信されたＰＮ系列で逆拡散し、そして逆拡散サンプルを与える。Ｗ‐ＣＤＭＡに対しては、 ＰＮ逆拡散器２２２は、逆拡散サンプルを与えるために回転されたサンプルをスクランブリング符号でデスクランブルする。
【００２２】
それぞれの符号チャネル上のデータを回復するために、 ＰＮ逆拡散器２２２からの逆拡散サンプルは、最初にデータデカバラー(data decoverer)２２４ａによって、フィンガ処理装置によって回復されている符号チャネルに割り当てられた、同じチャネル化符号Ｗｉで乗算される。チャネル化符号は、（ＩＳ‐９５、ＩＳ‐８５６、およびｃｄｍａ２０００システムに対しては）ウォルシュ符号(Walsh code)、（Ｗ‐ＣＤＭＡシステムに対しては）直交可変拡散率（ＯＶＳＦ：orthogonal variable spreading factor）符号、あるいは若干の他の符号であることが可能である。デカバーされた(decovered)データサンプルはそこで、データシンボルを与えるために、チャネル化符号長さに亙って累算器２２６ａによって累算される。各符号チャネル上のデータは異なったチャネル化符号でカバーされているために、もしも符号チャネル間の直交性が通信リンクを通しての伝送後も保持されている場合は、割り当てられたチャネル化符号Ｗｉでのデカバリングは、必要とされる符号チャネル上のデータを効率的に抽出しそして他の符号チャネル上のデータを除去する。累算器２２６ａからのデータシンボルは、フィンガ処理装置によって処理されている信号インスタンスに対する“データ信号”を表す。
【００２３】
パイロットを回復するために、パイロットデカバラー２２４ｂは最初に逆拡散サンプルを、送信機ユニットにおいてパイロットデータをカバーするのに用いた同じチャネル化符号（そしてそれは、多くのＣＤＭＡシステムに対しては０のチャネル化符号である） Ｗｐで乗算する。デカバーされたパイロットサンプルはそこで、回復されたパイロットシンボルを与えるために、それぞれの累算時刻間隔(accumulation time interval)に亙って累算器２２６ｂによって累算される。累算時刻間隔は典型的には、チャネル化符号長さの整数倍（すなわち１、２、等）である。デカバラー２２４および累算器２２６によって実行される処理は一括して“デカバリング”として参照され、そしてこれらの二つのエレメントは一括して“デカバー”として参照される。
【００２４】
累算器２２６ｂからのパイロットシンボルは、フィンガ処理装置によって処理されている信号インスタンスに対する回復されたパイロットを表す。パイロット処理装置２２８はそこで、“参照信号”を発生するために回復されたパイロットシンボルを受信しそして使用する。とくに、以下に記述されるようにパイロットが通常のあるいは既知の時刻間隔においてバースト内に送信されるゲーテッドパイロット伝送方式に対しては、パイロット処理装置２２８はパイロットバーストに対する時刻段階の間で、種々の必要とされる時刻段階において（たとえばデータシンボルに対応する時刻段階において）補間されたパイロットシンボルを与えるために、回復されたパイロットシンボルを補間する。補間されたパイロットシンボルはさらに、それぞれの低域通過濾波器応答に基づいて濾波されるかも知れない。参照信号はパイロット推定を含み、そしてそれはパイロット濾波が実行されるか否かによって異なる、濾波されたあるいは濾波されない補間されたパイロットシンボルであるかも知れない。
【００２５】
データ復調器２３０は、復調されたシンボル（すなわち復調されたデータ）を与えるためにデータシンボルを受信しそしてパイロット推定値とともに復調する。そしてそれはそこで、シンボル結合器(symbol combiner)２３２に与えられる。シンボル結合器２３２は、それぞれのデータ伝送を処理するために割り当てられたすべてのフィンガ処理装置２１０からの復調されたシンボルを受信しそしてコヒーレントに結合する。シンボル結合器２３２からの回復されたシンボルはそこで、さらなる処理のために復号器に与えられる。データ復調およびシンボル結合は、この中に参照により組み入れられている米国特許番号５，７６４，６８７特許の中に記述されたように達成することが可能である。この‘６８７特許は、データシンボルおよびパイロット推定値間の点乗積(dot product)を実行することによる、ＩＳ‐９５に対するＢＰＳＫデータ復調を記述している。ＩＳ‐８５６、ｃｄｍａ２０００、およびＷ‐ＣＤＭＡに使用される、ＱＰＳＫ変調に関する復調は、‘６８７特許の中に記述されている技術の簡単な延長である。それは、点乗積の代わりに、同相および直交ストリームを回復するために点乗積およびクロス乗積の両者が使用される。
【００２６】
ＩＳ‐８５６およびＷ‐ＣＤＭＡシステム等の若干のＣＤＭＡシステムは、順方向リンク（すなわち下りリンク）上にパイロットを送信するためにゲーテッドパイロット伝送方式を利用している。ゲーテッドパイロット伝送方式に対しては、それぞれの時刻期間(time duration)のパイロットバーストは通常のあるいは既知の時刻間隔で送信される。パイロットバースト期間およびパイロットバースト間隔は典型的には受信機ユニットによって既知（あるいは通知されるかも知れない）である。 ＩＳ‐８５６およびＷ‐ＣＤＭＡに対するパイロット伝送方式は以下に記述される。
【００２７】
図３Ａは、順方向リンクに対するＩＳ‐８５６によって定義された伝送フォーマットに関する線図である。各アクティブスロットは、各々のハーフスロットがパイロットバースト３１４によって分離された２個のデータ区画３１２を含んでいる二つのハーフスロットに分割される。データ区画３１２は特定ユーザ向けデータおよびシグナリングを送信するために使用することが可能であり、そしてパイロットバースト３１４はパイロットを送信するために使用することが可能である。左側のハーフスロットは、パイロットバースト３１４ａによって分離されたデータ区画３１２ａおよび３１２ｂを含み、そして右側のハーフスロットは、パイロットバースト３１４ｂによって分離されたデータ区画３１２ｃおよび３１２ｄを含む。 ＩＳ‐８５６に対しては各パイロットバースト３１４は、すべて０のデータの９６チップを含む。
【００２８】
左側のハーフスロットはさらに、パイロットバースト３１４ａの両側におかれた二つのシグナリングバースト３１６ａおよび３１６ｂを含み、そして右側のハーフスロットはさらに、パイロットバースト３１４ｂの両側におかれたシグナリングバースト３１６ｃおよび３１６ｄを含む。これらのシグナリングバースト３１６は、逆電力制御（ＲＰＣ：reverse power control）情報および他の情報を送信するために使用される、メディアアクセス制御（ＭＡＣ：Media Access Control）チャネルを実現するために使用される。ＲＰＣ情報は、端末に、受信している基地局において必要とされる信号品質を達成するために、その送信電力を上あるいは下の何れに調整するかを指示する。
【００２９】
各アイドルスロットもまた二つのハーフスロットに分割され、そして各ハーフスロットもまた同じ幅（たとえば９６チップ）の、そしてアクティブスロットにおけると同様にハーフスロット内の同じ位置に置かれた１個のパイロットバースト３１４を含む。二つのシグナリングバースト３１６（それぞれ６４チップ期間の）は各パイロットバースト３１４の両側に置かれる。シグナリングバーストは、無伝送およびパイロット伝送間、およびパイロット伝送および無伝送間の移行期間を与える。移行期間は、パイロットがパイロットバーストの期間中（たとえば９６チップ）その定常状態値に達しあるいは近づくことを可能とする。アイドルスロットに対するパイロットバーストは、アクティブスロットに対するパイロットバーストから本質的に識別不能であることを意図されている。
【００３０】
図３Ｂは、 Ｗ‐ＣＤＭＡによって定義されるように、物理チャネルに専用される下りリンクに対する伝送フォーマットに関する線図である。一般的に、 Ｗ‐ＣＤＭＡによって、異なったフレームフォーマットが 、下りリンク専用チャネル（ＤＰＣＨ：downlink dedicated channel）、下りリンク共用チャネル（ＤＳＣＨ：downlink shared channel）、等のような物理チャネルの各形式に対して定義される。各物理チャネル上に送信されるべきデータは、各無線フレームはスロット０からスロット１４までとして命名された１５スロットを含む（１０ミリ秒）無線フレームに分割される。各スロットはさらに、パケットデータ、シグナリング、およびパイロットデータを搬送するために用いられる１個あるいはそれ以上のフィールドに分割される。
【００３１】
図３Ｂに示されたように、専用物理チャネルに対しては各スロットは、第１のデータ（Ｄａｔａ１）フィールド３４０ａ、第２のデータ（Ｄａｔａ２）フィールド３４０ｂ、送信電力制御（ＴＰＣ：transmit power control）フィールド３４２、輸送フォーマット組み合わせ表示器（ＴＦＣＩ：transport format combination indicator）フィールド３４４、およびパイロットフィールド３４６を含む。データフィールド３４０ａおよび３４０ｂはパケットデータを専用物理チャネルに送出するために用いられる。ＴＰＣフィールド３４２は、受信機ユニットに、その上りリンク送信電力を上下何れに調整するかを指示するための電力制御情報を送出するために用いられる。ＴＦＣＩフィールド３４４は、専用物理チャネルと組み合わせられた共用物理チャネルに関するフォーマット（たとえば、ビットレート、チャネル化符号、等）の表示である情報を送出するために用いられる。パイロットフィールド３４６は、専用物理チャネルに対するパイロットデータを送出するために用いられる。
【００３２】
Ｗ‐ＣＤＭＡはまた、専用物理チャネルに対して用いられるかも知れない１組のスロットフォーマットを定義する。各スロットフォーマットはスロット内の各フィールドの長さを（ビット数で）定義する。専用物理チャネルのビットレートは、１５ｋｂｐｓから１９２０ｋｂｐｓの間で変化することが可能であり、そして各スロット内のビットの数は対応して変化する。上に記述した１個あるいはそれ以上のフィールドは、若干のスロットフォーマットに対しては省略する（すなわち長さ＝０）ことが可能である。
【００３３】
上に記述したように、位相不連続は受信信号経路内の回路エレメントが不連続なステップで切り替えられあるいは調整される場合に、受信された信号内に誘導されるかも知れない。位相不連続の大きさは、たとえば切り替えられている二つの信号経路間（たとえば、ＬＮＡ段階の利得およびバイパス経路間）の、あるいは調整されているそれぞれの回路エレメントの二つのセッティング間（たとえば、ＶＧＡ段階に対する高利得および低利得間）の位相差に関係する。この位相誤差はＡＤＣ１３２からのデータサンプルの中に含まれる。
【００３４】
図２に戻り参照して、受信された信号内の位相不連続は、データ回復経路においては濾波器が用いられていないために、シンボル累積器２２６ａからのデータ信号（すなわちデータシンボル）内にほとんど直接に反映される。図３Ａおよび図３Ｂに示されているそれらのように、ゲーテッドパイロット伝送方式に対しては、補間は参照信号に対するパイロット推定を与えるために用いられる。もしも位相不連続が二つのパイロットバースト間の受信された信号内に誘導される場合は、そこでパイロット補間は誘導された位相不連続を考慮するような方法で実行されなければならない。とくに、参照信号はデータ信号内に現れる同じ位相不連続を含まなければならない。
【００３５】
もしも受信された信号内の位相不連続が十分に大きくそして参照信号内において考慮されない場合は、そこで参照およびデータ信号間に相応して大きい位相誤差が、とくに位相誤差が発生した時刻段階において存在する。この位相誤差は、図２におけるデータ復調器２３０からの復調されたデータ内に現れる。もしも位相誤差が十分に大きい場合は、そこで復調されたデータは誤って復号されるかも知れない。復号されたデータの全体のパケット（すなわちフレーム）は、誤って受信されていると思われ、そしてたとえデータビットの若干のみが誤って復号されるとしても消去されたと言明されるかも知れない。
【００３６】
この中に、受信信号経路内の回路変化に起因して受信された信号内に誘導された位相不連続を考慮するような方法で、ゲーテッドパイロットに対する参照信号を発生するための技術が与えられる。典型的には、受信信号経路内の“著しい”回路変化（すなわち特性に有害な影響を有するかも知れない変化）は受信機ユニットにおいて既知である。たとえば、これらの回路変化は制御器１５０によって開始され、あるいは既知とすることが可能である。
【００３７】
さらに、各々の著しい回路変化に起因する受信された信号内の位相変化の総量はまた、正確さに関して必要な程度まで、受信機ユニットにおいて既知であることが可能である。これは種々の回路エレメントの位相を特性づけしそして保存し、受信信号経路内にセッティングすることによって達成することが可能である。たとえば各ＬＮＡ段階は利得およびバイパス経路に対する異なった位相と組み合わせられることが可能であり、各ＶＧＡ段階は異なった利得ステップに対する異なった位相と組み合わせられることが可能である等である。これらの回路エレメント／セッティングに対する位相は設計あるいは製造段階の間に決定することが可能であり、そして計算機シミュレーション、経験的な測定、等に基づいて決定することが可能である。回路セッティングおよびその組み合わせられた位相に関する表は、受信機ユニット内のルックアップテーブルの中に（たとえば図１におけるメモリ１５２の中に）保存することが可能である。通常の動作の期間中、ルックアップテーブルは、新しい、および前の回路セッティングに対する位相を検索するためにアクセスされることが可能であり、そしてこれら二つの位相間の差はそこで、新しい回路セッティングへの切り替えに起因する位相変化の推定であろう。あるいはテーブルは、任意の二つの異なった回路セッティング間の推定された位相変化を保存するために用いられるかも知れない。
【００３８】
いつ著しい回路変化がなされているかに関する情報、および新しいおよび前の回路セッティングと組み合わせられた位相（あるいは二つの回路セッティング間の位相変化そのもの）はエンティティ（たとえば図１における制御器１５０）に与えることが可能である。このエンティティはそこで、同様に誘導された位相変化によって影響されているデータ信号のそれ（位相）により厳密に整合する位相を有する参照信号を発生する（あるいは発生を指示する）ために情報を使用することが可能である。より正確に発生された参照信号は改善されたデータ復調特性に帰着することが可能である。
【００３９】
図４Ａから図４Ｃは、本発明の実施例に従った、誘導された位相不連続に対する補償を備えたパイロット補間を図的に説明している線図である。図４Ａにおいては、第１のパイロットシンボルは時刻Ｔ１において受信され、そして第２のパイロットシンボルは時刻Ｔ２において受信される。第１および第２のパイロットシンボルＰ１およびＰ２は、
Ｐ1＝ａ1＋ｊｂ1＝Ａ1ｅjθ1、および
Ｐ2＝ａ2＋ｊｂ2＝Ａ2ｅjθ2
式（１）
として表現することが可能な複素値である。ここで、ａ１、ａ２，ｂ１、およびｂ２は、各々定義された範囲（たとえば０から２５５）内の任意の値をとることが可能である。もしも時刻Ｔ１およびＴ２の間に位相変化が誘導されていない場合はそこで、 Ｔ１およびＴ２間の種々の時刻段階における補間されたパイロットシンボルを与えるために、パイロット補間は通常の方法で実行することが可能である。
【００４０】
当業界においては知られているように、補間は種々の方法で実行することが可能である。たとえば線形補間は、二つの与えられた時刻段階における回復されたパイロットシンボルの、これらの二つの与えられた時刻段階の間の種々の時刻段階における補間されたパイロットシンボルを導出するために用いられる場合に実行されるかも知れない。より高い次数の補間もまた、補間されたパイロットシンボルが二つ以上の回復されたパイロットシンボルに基づいて導出される場合に実行されるかも知れず、そしてこれは本発明の範囲内にある（しかしここでは単純化のために記述されない）。さらに、補間は“カルテシアン(cartesian)”補間、“極”補間、あるいは若干の他の補間技術に基づいて実行されるかも知れない。
【００４１】
線形カルテシアン補間に対しては、Ｔ１からの時間経過がｘである時刻Ｔｘにおける補間されたパイロットシンボルＰｃａｒｔ，ｘは、
Ｐｃａｒｔ，ｘ＝ｙ（ａ１＋ｊｂ１）＋ｘ（ａ２＋ｊｂ２）            式（２）
として表現することが可能である。ここで、ｘおよびｙは次のように正規化される。
【００４２】
ｘ＝（Ｔｘ−Ｔ１）／（Ｔ２−Ｔ１）、
ｙ＝（Ｔ２−Ｔｘ）／（Ｔ２−Ｔ１）、そして
ｘ＋ｙ＝１。
そして、線形極補間に対しては、時刻Ｔｘにおける補間されたパイロットシンボルＰｐｏｌａｒ，ｘは、
Ｐpolar,x＝（ｙＡ1＋ｘＡ2）ｅj(yθ1+xθ2)                       式（３）
として表現することが可能である。式（３）に示されるように、極補間に対しては、大きさおよび位相は各々線形に補間される。
【００４３】
図４Ｂは、受信信号経路内の回路変化に起因する、時刻Ｔｃにおける誘導された位相変化を示す。誘導された位相変化ｅjθpcは、第２のパイロットシンボル内に反映されて（すなわち含まれて）いる（そしてそれは、単純化のために図４Ａに示される第２のパイロットシンボルに対すると同じ（ａ２＋ｊｂ２）の複素値を有すると仮定されている）。この誘導された位相変化は、補間されたパイロットシンボルを得るための補間の実行に際して補償することが可能である。
【００４４】
誘導された位相変化を補償するための第１の方式においては、位相変化が誘導される時刻において、同じ位相変化が補間されたパイロットシンボル内に誘導される。線形カルテシアン補間に対しては、時刻Ｔｃにおける補間されたパイロットシンボルＰｃａｒｔ，ｃは、最初に次のように決定することが可能である。
【００４５】
Ｐcart,c＝（１−ｔc）（ａ1＋ｊｂ1）＋ｔc（ａ2＋ｊｂ2）        式（４）
=Ａcｅjθ，
ここで、ｔｃは、 ｔｃ ＝（Ｔｃ−Ｔ１）／（Ｔ２−Ｔ１）のように正規化される。補間されたパイロットシンボルＰｃａｒｔ，ｃはそこで、誘導された位相変化ｅjθpcによって分離された、二つの位相回転されたシンボル、 Ｐｃａｒｔ，ｃ１およびＰｃａｒｔ，ｃ２を発生するために、前方および後方の両方向に回転されることが可能である。
【００４６】
誘導された位相変化ｅjθpcは、たとえば、位相変化が発生した時刻に基づいて、二つの位相回転されたシンボル、 Ｐｃａｒｔ，ｃ１およびＰｃａｒｔ，ｃ２に、次のように配分することが可能である。
Ｐcart,c1＝Ａcｅj(θc−tcθpc）＝Ａcｅjθc1  ，および
Ｐcart,c2＝Ａcｅj(θc−tcθpc+θpc）＝Ａcｅjθc2，
式（５）
式（５）に示されるように、 Ｐｃａｒｔ，ｃ２は、 Ｐｃａｒｔ，ｃ１を誘導された位相変化ｅjθpcだけ回転することによって得ることが可能である。また、式（５）に示されるように、もしも位相回転が時刻Ｔ１の近くで発生する（すなわちｔｃ→０）場合は、そこで位相回転されたシンボル Ｐｃａｒｔ，ｃ２は誘導された位相変化の大部分を含むであろう。あるいは、もしも位相回転が時刻Ｔ２の近くで発生する（すなわちｔｃ→１）場合は、そこで位相回転されたシンボル Ｐｃａｒｔ，ｃ１は誘導された位相変化の大部分を含むであろう。
【００４７】
図４Ｃは、誘導された位相変化を考慮するための補間されたパイロットシンボルの発生を示す。上に式（５）内に導出された、位相回転されたシンボル Ｐｃａｒｔ，ｃ１および Ｐｃａｒｔ，ｃ２はパイロット補間のために用いることが可能である。とくに、Ｔ１およびＴｃ間の時刻期間に対して（すなわちＴ１＜ｔ＜ Ｔｃ）は、パイロット補間は、時刻Ｔ１におけるパイロットバーストに対して回復されたパイロットシンボルであるＰ１、そして上に記述されているように導出されているＰｃａｒｔ，ｃ１を用いた、Ｐ１および Ｐｃａｒｔ，ｃ１を含むシンボルの第１の組み合わせに基づいて実行可能である。そしてＴｃおよびＴ２間の時刻期間に対しては（すなわちＴｃ＜ｔ＜ Ｔ２）、パイロット補間は、時刻Ｔ２におけるパイロットバーストに対して回復されたパイロットシンボルであるＰ２、および上に記述されているように導出されてい るＰｃａｒｔ，ｃ２を用いた、 Ｐｃａｒｔ，ｃ２および Ｐ２を含むシンボルの第２の組み合わせに基づいて実行可能である。線形カルテシアン補間に対しては、時刻Ｔｘにおける補間されたパイロットシンボル Ｐｃａｒｔ，ｘはそこで、
ｙＰ1＋ｘＰcart,c1    Ｔ1＜Ｔx＜Ｔcに対して、および
Ｐcart,x＝{
ｙＰ1＋ｘＰcart,c2    Ｔc＜Ｔx＜Ｔ2に対して
式（６）
として表現することが可能である。
ここで    Ｐ１＝ａ１＋ｊｂ１
Ｐ２＝ａ２＋ｊｂ２
Ｐｃａｒｔ，ｃ１＝Ａｃｃｏｓ（θｃ１）＋ｊＡｃｓｉｎ（θｃ１）、そして
Ｐｃａｒｔ，ｃ２＝Ａｃｃｏｓ（θｃ２）＋ｊＡｃｓｉｎ（θｃ２）。
【００４８】
図５Ａから図５Ｃは、上に記述された第１の位相補償方式のための位相回転されたシンボルの発生を図的に示している。図５Ａにおいて、時刻Ｔ１およびＴ２におけるパイロットシンボルＰ１およびＰ２間の実線５１２は、時刻Ｔｃにおける補間されたパイロットシンボルＰｃを得るための最初の線形補間を示している。図５Ａに示された例においては、誘導された位相変化は時刻Ｔ１およびＴ２の間の中間点において発生する。誘導された位相変化はそこで、位相回転されたシンボルＰｃ１およびＰｃ２に等しく配分される。シンボルＰ１およびＰｃ１はそこで、破線５１４によって示される時刻Ｔ１およびＴｃ間の補間されたパイロットシンボルを導出するために用いられる。同様に、シンボルＰｃ２およびＰ２は、破線５１６によって示される時刻ＴｃおよびＴ２間の補間されたパイロットシンボルを導出するために用いられる。垂直線５１８は、時刻Ｔ１およびＴ２間の参照信号（それは補間されたパイロットシンボルに含まれている）内の位相不連続を、図的に示している。
【００４９】
図５Ｂは、誘導された位相変化が時刻Ｔ１の付近で発生する場合のパイロット補間を示している。この場合、位相回転されたシンボルＰｃ２は、誘導された位相変化の大部分を含む。
図５Ｃは、誘導された位相変化が時刻Ｔ２の付近で発生する場合のパイロット補間を示している。この場合、位相回転されたシンボルＰｃ１は、誘導された位相変化の大部分を含む。
【００５０】
誘導された位相変化を補償するための第２の方式においては、時刻Ｔ１およびＴ２における回復されたパイロットシンボルは、各々同じ位相変化によって回転され、そしてこれらの位相回転されたシンボルはそこで、補間されたパイロットシンボルを導出するために用いられる。線形カルテシアン補間に対しては、時刻Ｔ１において回復されたパイロットシンボルＰ１は、位相回転されたシンボルＰｒｏｔ，１を得るために、誘導された位相変化ｅjθpcによって前方に回転されることが可能である。同様に、時刻Ｔ２において回復されたパイロットシンボルＰ２は、位相回転されたシンボルＰｒｏｔ，２を得るために、誘導された位相変化ｅjθpcによって後方に回転されることが可能である。これらの位相回転されたシンボルは、
Ｐrot,1 ＝Ａ1ｅj(θ1＋θpc）
＝Ａ1ｃｏｓ（θ1＋θpc）＋jＡ1ｓｉｎ（θ1＋θpc），および
Ｐrot,2 ＝Ａ2ｅj(θ2−θpc）
＝Ａ2ｃｏｓ（θ2−θpc）＋jＡ2ｓｉｎ（θ2−θpc），
式（７）
として表現することが可能である。 Ｔ１およびＴｃ間の時刻期間に対しては、パイロット補間はＰ１およびＰｒｏｔ，２を含むシンボルの第１の組み合わせに基づいて実行することが可能である。そして ＴｃおよびＴ２間の時刻期間に対しては、パイロット補間はＰｒｏｔ，１およびＰ２を含むシンボルの第２の組み合わせに基づいて実行することが可能である。時刻Ｔｘにおける補間されたパイロットシンボルＰｃａｒｔ，ｘはそこで、
ｙＰ1＋ｘＰrot,c2    Ｔ1＜Ｔx＜Ｔcに対して、および
Ｐcart,x＝{
ｙＰ1rot,c1＋ｘＰ2    Ｔc＜Ｔx＜Ｔ2に対して
式（８）
として表現することが可能である。
【００５１】
補間されたパイロットシンボルを発生するために用いられる、シンボルの二つの組み合わせを導出するための他の方式がまた企画されることが可能であり、そしてこれは本発明の範囲内にある。
上に示したように、極補間がまた、補間されたパイロットシンボルを得るために実行されることが可能である。第１の位相補償方式に対しては、誘導された位相変化は、位相変化が誘導される時刻における補間されたパイロットシンボル内に反映されている。線形極補間に対しては、時刻Ｔｃにおける補間されたパイロットシンボルＰｐｏｌａｒ，ｃは最初に次のように決定することが可能である。
【００５２】
Ｐpolar,c＝{（１−ｔc）Ａ1＋ｔcＡ2）ｅj{ (1-tc)θ1+tcθ2) } }
＝Ａcpｅjθcp
式（９）
補間されたパイロットシンボルＰｐｏｌａｒ，ｃはそこで、誘導された位相変化ｅjθpcによって分離される２個の位相回転されたシンボルＰｐｏｌａｒ，ｃ１およびＰｐｏｌａｒ，ｃ２を発生するために前方および後方の両方向に回転することが可能である。
【００５３】
また、誘導された位相変化ｅjθpcは、位相変化が発生した時刻に基づいて、二つの位相回転されたシンボルＰｐｏｌａｒ，ｃ１およびＰｐｏｌａｒ，ｃ２に次のように分配されることが可能である。
Ｐpolar,c1＝Ａcpｅj(θcp−tcθpc)         ＝Ａcpｅjθcp1  および
Ｐpolar,c2＝Ａcpｅj(θcp−tcθpc+θpc)    ＝Ａcpｅjθcp2
式（１０）
式（１０）に示されるように、 Ｐｐｏｌａｒ，ｃ２は、 Ｐｐｏｌａｒ，ｃ１を、誘導された位相変化ｅjθpcだけ回転することによって得ることが可能である。
【００５４】
Ｔ１およびＴｃ間の時刻期間に対してパイロット補間は Ｐ１およびＰｐｏｌａｒ，ｃ１を含むシンボルの第１の組み合わせに基づいて実行することが可能である。そしてＴｃおよびＴ２間の時刻期間に対してパイロット補間は Ｐｐｏｌａｒ，ｃ２およびＰ２を含むシンボルの第２の組み合わせに基づいて実行することが可能である。時刻Ｔｘ（すなわち正規化された時刻ｔｘ）における補間されたパイロットシンボルＰｐｏｌａｒ，ｘはそこで、
{（１−ｔx）Ａ1＋ｔxＡcp）}ｅj{ (1-tx)θ1+txθcp1) } 
Ｔ1＜ｔx＜Ｔcに対して、および
Ｐpolar,x＝{
{（１−ｔx）Ａcp＋ｔxＡ2）}ｅj{ (1-tx)θcp2+txθ2) } 
Ｔc＜ｔx＜Ｔ２に対して、
式（１１）
として表現することが可能である。
【００５５】
極補間はまた、上に記述した、時刻Ｔ１およびＴ２におけるパイロットシンボルＰ１およびＰ２は各々誘導された位相変化だけ回転され、そして補間されたパイロットシンボルを導出するために用いられる、第２の位相補償方式に基づいて実行することが可能である。
【００５６】
図６は、図２におけるパイロット処理装置２２８に対して使用することが可能な、パイロット処理装置２２８ａの特定の実施例に関するブロック線図である。回復されたパイロットシンボルは、入力制御ユニット６１２および位相回転されたシンボル発生器６１４に与えられる。各回復されたパイロットシンボルＰｎに対して、もしも、最後に回復されたパイロットシンボルＰｎ−１の時刻以降、位相変化が受信された信号内に誘導されていない場合は、そこで、制御ユニット６１２は、線形補間器６１６に、二つの最後に回復されたパイロットシンボルＰｎ−１およびＰｎを与える。補間器６１６はそこで、回復されたパイロットシンボルＰｎ−１およびＰｎを導出するために用いられたパイロットバーストが受信された時刻、Ｔｎ−１およびＴｎ間の時刻期間に対する補間されたパイロットシンボルを導出する。
【００５７】
そうでなく、もしも、最後に回復されたパイロットシンボルの時刻以降、受信された信号内に位相変化が誘導されている場合は、そこで、位相回転されたシンボル発生器６１４は、誘導された位相変化の大きさθｐｃ、および位相変化が発生した時刻Ｔｎｃの表示である情報を受信する。シンボル発生器６１４はそこで、上に記述された方式の何れか一つを用いて、回復されたパイロットシンボルＰｎ−１およびＰｎ、誘導された位相変化θｐｃ、および位相変化の時刻Ｔｎｃに基づいて、位相回転されたシンボル、Ｐｃｎ１およびＰｃｎ２を導出する。
【００５８】
もしも位相変化が誘導されて来ていれば、線形補間器６１６は、現在のパイロットバースト間隔の第１の部分に対するＰｎ−１、Ｐｃｎ１、および△Ｔｎｃ１を与えられる。ここで、△Ｔｎｃ１は、回復されたパイロットシンボルＰｎ−１に対する時刻Ｔｎ−１および位相変化が発生した時刻Ｔｎｃ間の時刻期間である（すなわち△Ｔｎｃ１＝ Ｔｎｃ− Ｔｎ−１）。線形補間器６１６はそこで、受信された情報に基づいてＴｎｃおよびＴｎ−１間の時間期間に対する補間されたパイロットシンボルを導出する。続けて線形補間器６１６は現在のパイロットバースト間隔の第２の部分に対するＰｃｎ２、Ｐｎ、および△Ｔｎｃ２を与えられる。ここで、△Ｔｎｃ２は、位相変化が発生した時刻Ｔｎｃおよび回復されたパイロットシンボルＰｎに対する時刻Ｔｎ間の時刻期間である（すなわち△Ｔｎｃ２＝ Ｔｎ− Ｔｎｃ ）。線形補間器６１６はそこで、受信された情報に基づいてＴｎｃおよびＴｎ間の時刻期間に対する補間されたパイロットシンボルを導出する。
【００５９】
濾波器６１８が雑音および無関係な信号を除去するために、補間されたパイロットシンボルを濾波するために用いられるかも知れない。パイロット処理装置２２８ａはパイロット推定値を含む参照信号を与える。これらのパイロット推定値は、（１）もしも濾波が使用されない場合は、線形補間器６１６からの補間されたパイロット信号、あるいは（２）もしも濾波が使用される場合は、濾波器６１８からの濾波された補間されたパイロット信号である。
【００６０】
図７は、無線（たとえばＩＳ‐８５６、あるいはＷ‐ＣＤＭＡ）通信システムにおけるゲーテッドパイロットに対する補間されたパイロットシンボルを導出するための処理７００の実施例に関するフロー線図である。最初に、第１の時刻段階Ｔｎ−１に対する第１の回復されたパイロットシンボルＰｎ−１、および第２の時刻段階Ｔｎに対する第２の回復されたパイロットシンボルＰｎが（ゲーテッドパイロットに対して受信されたパイロットバーストに基づいて）得られる（ステップ７１２）。そこで受信された信号の中に位相変化が誘導されているか否かの決定がなされる（ステップ７１４）。もしも答えが否である場合はそこで、第１および第２の時刻段階Ｔｎ−１およびＴｎ間の補間されたパイロットシンボルは第１および第２の回復されたパイロットシンボルＰｎ−１、およびＰｎに基づいて通常の方法で導出される（ステップ７１６）。
【００６１】
そうでなく、もしも第３の時刻段階Ｔｎｃにおいて、受信された信号内に位相変化が誘導されている場合はそこで、誘導された位相変化の大きさθｐｃが推定される（ステップ７２２）。第１および第２の位相回転されたシンボルＰｃｎ１、およびＰｃｎ２はそこで、第１および第２の回復されたパイロットシンボル、Ｐｎ−１およびＰｎ、推定された誘導された位相変化θｐｃ、および（あるいは）第３の時刻段階Ｔｎｃに基づいて導出される（ステップ７２４）。
【００６２】
第１および第３の時刻段階Ｔｎ−１およびＴｎｃ間の補間されたパイロットシンボルはそこで、第１の回復されたパイロットシンボルＰｎ−１および第１の位相回転されたシンボルＰｃｎ１に基づいて導出される（ステップ７２６）。同様に、第３および第２の時刻段階ＴｎｃおよびＴｎ間の補間されたパイロットシンボルは、第２の位相回転されたシンボルＰｃｎ２、および第２の回復されたパイロットシンボルＰｎに基づいて導出される（ステップ７２８）。処理は典型的には各回復されたパイロットシンボルに対して繰り返される。
【００６３】
以上に記述された位相補償技術はまた、複数の位相変化が二つの与えられたパイロットバースト間で受信された信号内に誘導される場合に使用することが可能である。この場合、パイロット補間は各誘導された位相変化が一度に一つづつ古いものから(in chronological order)補償されるように実行することが可能である。たとえば、もしも３個の位相変化θｐｃ１、θｐｃ２、およびθｐｃ３が、時刻Ｔｎｃ１、Ｔｎｃ２、およびＴｎｃ３それぞれにおいて受信された信号内に、連続的に誘導された場合はそこで、時刻Ｔｎ−１およびＴｎ間のパイロット補間は、上に記述されたように第１の位相変化θｐｃ１のみが時刻Ｔｎｃ１において発生していると仮定することによって実行することが可能である。そこで、時刻Ｔｃｎ１およびＴｎ間のパイロット補間は第２の位相変化θｐｃ２のみが時刻Ｔｎｃ２において発生していると仮定することによって実行することが可能である。そして最後に、時刻Ｔｃｎ２およびＴｎ間のパイロット補間は、第３の位相変化θｐｃ３のみが時刻Ｔｎｃ３において発生していると仮定することによって実行することが可能である。
【００６４】
明確のために、線形補間に対する種々の観点および実施例が上に記述されてきている。補間の種々の他の形式がまた、補間されたパイロットシンボルを導出するために使用することが可能であり、そしてこれは本発明の範囲内にある。たとえばスプライン補間が用いられるかも知れない。より高い次数の補間がまた用いられるかも知れず、そしてこれもまた本発明の範囲内にある。
【００６５】
ここに記述されたパイロット補間技術は種々の手段によって実行することが可能である。たとえば、これらの技術は、ハードウエア、ソフトウエア、あるいはこれらの組み合わせ内で実行されることが可能である。ハードウエア実行に対しては、パイロット補間を実行するために用いられるエレメントは、１個あるいはそれ以上の特定用途向け集積回路（ＡＳＩＣ：application specific integrated circuit）、ディジタル信号処理装置（ＤＳＰ：digital signal processor）、ディジタル信号処理デバイス（ＤＳＰＤ：digital signal processing device）、プログラマブル論理デバイス（ＰＬＤ：programmable logic device）、フィールドプログラマブルゲートアレイ（ＦＰＧＡ：field programmable gate array）、処理装置、制御器、マイクロ制御器、マイクロ処理装置、この中に記述された機能を実行するように設計された他の電子的ユニット、あるいはこれらの組み合わせの中で実行することが可能である。
【００６６】
ソフトウエア実行に対しては、この中に記述されたパイロット補間技術は、この中に記述された機能（たとえば、手順、機能等）を実行するモジュールで実行することが可能である。ソフトウエアコードは、メモリユニット（たとえば図１におけるメモリ１５２）内に保存され、そして処理装置（たとえば制御器１５０）によって実行されることが可能である。メモリユニットは処理装置の中、あるいは処理装置の外部に実現することが可能であり、いずれの場合も当業界において知られるように、種々の手段によって処理装置に通信的に結合されることが可能である。
【００６７】
ハードウエアおよびソフトウエア実行のために、パイロット補間の若干の部分は、ハードウエア内で実行されるかも知れず、そして若干の他の部分はソフトウエア内で実行されるかも知れない。たとえば、図６に戻って参照してソフトウエアコードは入力制御を与え（ブロック６１２）そして位相回転されたシンボルを発生し（ブロック６１４）、そして線形補間器（ブロック６１６）および濾波器（ブロック６１８）はハードウエア内で実行することが可能である。
【００６８】
開示された実施例に関する以上の記述は、当業界において熟練したいかなる人にも本発明を作成しあるいは使用することを可能とするために与えられる。これらの実施例に関する種々の変形は、当業界において熟練した人々には容易に明白であろうし、そしてここに定義された一般的な原理は本発明の精神あるいは範囲から逸脱することなしに、他の実施例に適用することが可能である。したがって、本発明は、この中に示された実施例に限定されることを意図したものではなく、しかし、ここに開示された原理および新規な特徴と矛盾のないもっとも広い範囲に一致すべきものである。
【図面の簡単な説明】
【００６９】
【図１】図１は、本発明の種々の観点および実施例を実現することが可能な、受信機ユニットに関するブロック線図である。
【図２】図２は、ディジタル信号処理装置（ＤＳＰ）内のレイク受信機の実施例に関するブロック線図である。
【図３Ａ】図３Ａおよび図３Ｂは、ＩＳ‐８５６およびＷ‐ＣＤＭＡそれぞれによって定義（規定）された順方向リンク（すなわち下りリンク）のための伝送フォーマットに関する線図である。
【図３Ｂ】図３Ａおよび図３Ｂは、ＩＳ‐８５６およびＷ‐ＣＤＭＡそれぞれによって定義（規定）された順方向リンク（すなわち下りリンク）のための伝送フォーマットに関する線図である。
【図４Ａ】図４Ａから図４Ｃは、誘導された位相不連続に対する補償を有するパイロット補間を図的に説明している線図である。
【図４Ｂ】図４Ａから図４Ｃは、誘導された位相不連続に対する補償を有するパイロット補間を図的に説明している線図である。
【図４Ｃ】図４Ａから図４Ｃは、誘導された位相不連続に対する補償を有するパイロット補間を図的に説明している線図である。
【図５Ａ】図５Ａから図５Ｃは、第１の位相補償方式に対する位相回転されたシンボルの発生を図的に説明している。
【図５Ｂ】図５Ａから図５Ｃは、第１の位相補償方式に対する位相回転されたシンボルの発生を図的に説明している。
【図５Ｃ】図５Ａから図５Ｃは、第１の位相補償方式に対する位相回転されたシンボルの発生を図的に説明している。
【図６】図６は、パイロット処理装置の特定の実施例に関するブロック線図である。そして
【図７】図７は、無線通信システムにおけるゲーテッドパイロットに対する補間されたパイロットシンボルを導出するための処理の実施例に関するフロー線図である。
【符号の説明】
【００７０】
１００…受信機ユニット、  １１２…アンテナ、  １２０…受信機、  １２２…低雑音増幅器（ＬＮＡ）、  １２４…濾波器、  １２６…可変利得増幅器（ＶＧＡ）、  １２８…ダウンコンバータ、  １３２…ディジタル変換器（ＡＤＣ）、  １４０…ディジタル信号処理装置（ＤＳＰ）、  １５０…制御器、  １５２…メモリ、  ２００…レイク受信機、  ２１０…フィンガ処理装置、  ２１２…探索器、  ２２０…回転器、  ２２２…ＰＮ逆拡散器、  ２２４…デカバラー、  ２２６…累算器、  ２２８…パイロット処理装置、  ２３０…データ復調器、  ２３２…シンボル結合器、  ３１２…データ区画、  ３１４…パイロットバースト、  ３１６…シグナリングバースト、  ３４０…データフィールド、  ３４２…送信電力制御（ＴＰＣ）フィールド、  ３４４…ＴＦＣＩフィールド、  ３４６…パイロットフィールド、  ６１２…制御ユニット、  ６１４…シンボル発生器、  ６１６…補間器、  ６１８…濾波器、  ７００…処理
【図１】
2006503451.tif 000003
【図２】
2006503451.tif 000004
【図３Ａ】
2006503451.tif 000005
【図３Ｂ】
2006503451.tif 000006
【図４Ａ】
2006503451.tif 000007
【図４Ｂ】
2006503451.tif 000008
【図４Ｃ】
2006503451.tif 000009
【図５Ａ】
2006503451.tif 000010
【図５Ｂ】
2006503451.tif 000011
【図５Ｃ】
2006503451.tif 000012
【図６】
2006503451.tif 000013
【図７】
2006503451.tif 000014
【国際調査報告】
2006503451.tif 000015
2006503451.tif 000016
2006503451.tif 000017
2006503451.tif 000018
2006503451.tif 000019